(57)【特許請求の範囲】
【請求項１】
互いに間隔をおいた平面に位置する第１の面と第２の面と、第１の面から第２の面に延びる複数の毛管とを有し、毛管は、第１の面と第２の面との中間で互いに結合され第２の面で終結する複数の側壁部分によって形成され、外面側は、第１の面と側壁部分によって形成され、粒状材料が外面側の第１の面に液体の導入により流されるように固定され、粒状材料が外面側と反対の内面側にないことを特徴とする液体透過性プラスチックウエブからなる液体透過性ウエブ。
【請求項２】
粒状材料は、外面側の側壁部分にも液体の導入により流されるように固定されることを特徴とする請求項１に記載の液体透過性ウエブ。
【請求項３】
プラスチックウエブは、ポリエチレン、ポリプロピレン、ポリビニルクロライド、スターチベース樹脂、ポリビニルアルコール、ポリウレタン、ポリカプロラクトン及びセルロースエステル類からなるグループから選択された材料からなることを特徴とする請求項１に記載の液体透過性ウエブ。
【請求項４】
液体透過性ウエブは、吸収材製品のトップシートとして用いられる寸法に分割されることを特徴とする請求項１に記載の液体透過性ウエブ。
【請求項５】
互いに間隔をおいた平面に位置する第１の面と第２の面と、第１の面から第２の面に延びる複数の毛管とを有し、毛管は、第１の面と第２の面との中間で互いに結合され第２の面で終結する複数の側壁部分によって形成され、ウエブの第１の面は、液体接触面からなり、ウエブの第１の面に粒状材料が液体の導入により流されるように固定され、ウエブの第２の面に粒状材料がないことを特徴とする液体透過性プラスチックウエブからなる液体透過性ウエブ。
【請求項６】
粒状材料は、側壁部分にも液体の導入により流されるように固定されることを特徴とする請求項５に記載の液体透過性ウエブ。
【請求項７】
（ａ）  互いに間隔をおいた平面に位置する第１の面と第２の面と、第１の面から第２の面に延びる複数の毛管とを有し、毛管は、第１の面と第２の面との中間で互いに結合され第２の面で終結する複数の側壁部分によって形成され、外面側は、第１の面と側壁部分によって形成され、粒状材料が外面側の第１の面に液体の導入により流されるように固定され、粒状材料が内面側の第２の面にない液体透過性プラスチックウエブからなる液体透過性トップシートと、
（ｂ）  液体透過性トップシートに結合された液体不透過性バックシートと、
（ｃ）  トップシートとバックシートとの間に配置された吸収コアと
を有することを特徴とする吸収材製品。
【請求項８】
粒状材料が液体透過性トップシートの側壁部分に液体の導入により流されるように固定されていることを特徴とする請求項７に記載の吸収材製品。
【請求項９】
吸収材製品は、使い捨ておむつであることを特徴とする請求項７に記載の吸収材製品。
【請求項１０】
吸収材製品は、生理用ナプキンであることを特徴とする請求項７に記載の吸収材製品。
【請求項１１】
（ａ）  互いに間隔をおいた平面に位置する第１の面と第２の面と、第１の面から第２の面に延びる複数の毛管とを有し、毛管は、第１の面と第２の面との中間で互いに結合され第２の面で終結する複数の側壁部分によって形成され、第１の面は液体接触面からなり、第１の面に粒状材料が液体の導入により流されるように固定され、第２の面に粒状材料がない液体透過性プラスチックウエブからなる液体透過性トップシートと、
（ｂ）  液体透過性トップシートに結合された液体不透過性バックシートと、
（ｃ）  トップシートとバックシートとの間に配置された吸収コアと
を有することを特徴とする吸収材製品。
【請求項１２】
粒状材料が液体透過性トップシートの側壁部分に液体の導入により流されるように固定されていることを特徴とする請求項１１に記載の吸収材製品。
【発明の詳細な説明】
発明の分野
本発明は、生理用ナプキン、パンティライナ、使い捨ておむつ、失禁用用品等のような吸収材製品に関し、特に、本発明は、着用者の接触面が織地のトップシートを有する吸収材製品に関する。
発明の背景
身体からの排泄物を吸収するように構成された種々の吸収材製品はよく知られている。吸収材製品の現在のタイプは、生理用ナプキン、パンティライナ、使い捨ておむつ及び失禁用製品を含む。
三次元に巨視的に拡張された有孔フィルムは、吸収材製品のトップシートに使用されている。ここに使用する用語「巨視的に拡張された」とは、プラスチックウエブ、リボン及びフィルムを説明するために使用されるとき、その両面に形成された成形構造の表面に一致する成形構造の三次元模様が、視覚者の目とウエブの平面との間の垂直距離が約１２インチであるときに視覚者の目で見ることができるウエブ、リボン及びフィルムを言う。
一面にたまった液体を他面に搬送し、その後搬送された液体を着用者から隔離するのに特に適したる巨視的に拡張された有孔プラスチックウエブの一例は、１９７５年１２月３０日にトンプソンに発行された米国特許第３，９２９，１３５号に示されている。トンプソンは、液体不透過性ではあるが傾斜毛管のパターンを備えている巨視的に拡張されたトップシートを示しているが、毛管は、着用者の身体に接触するトップシートの平面にベース開口部と、トップシートのベース開口部から離れた先端開口部とを有し、先端開口部は、使い捨て吸収材製品に使用される吸収材パッドと緊密に接触している。トンプソンのトップシートは、液体の逆流を抑えながら着用者の身体から装置の吸収部材に液体が自由に流れることができるようにする。これは、これまで得られていたものより比較的広い乾燥表面を提供する。
生理用ナプキンのような吸収材製品のトップシートに使用するのに適した他の巨視的な拡張された有孔プラスチックウエブは、１９８２年８月３日に発行されたラデル等に発行された米国特許第４，３４２，３１４号に示されている。ラデル等に示された巨視的に拡張されたプラスチックウエブは、繊維状の外観を呈し、着用者の接触面として使用されるとき、着用者に心地よい印象を与える。
巨視的に拡張された有孔プラスチックウエブは、吸収材製品のトップシートとして使用されるとき、広範な商業的な成功を収めたが、幾人かのユーザは、有孔プラスチックウエブからなるトップシートをプラスチックで作られていると皮膚で知ることで使用することをきらっている。
従って、本発明の目的は、従来の巨視的に拡張された有孔プラスチックトップシートに比較して、柔らかくてプラスチック状の感じの少ない液体処理特性を有する吸収材製品のトップシートを提供することである。
発明の要約
本発明は、おむつ、失禁用製品、生理用ナプキン等のような吸収材製品に関する。本発明は、液体透過性有孔プラスチックウエブに関する。プラスチックウエブは、互いに離れた平面に配置された第１の面と第２の面を有する。プラスチックウエブは、第１の面に粒状材料を有し、第２の面に粒状材料を有していない。好ましくは、粒状材料はタルクである。プラスチックウエブは、第１の面から第２の面に延びる複数の毛管を有する。毛管は、第１の面と第２の面との中間で互いに結合されている複数の側壁部分によって形成される。側壁部分は、第２の面で終結している。好ましい実施例において、プラスチックウエブは、側壁部分に粒状材料を有する。
【図面の簡単な説明】
第１図は、本発明の吸収材製品の簡単な斜視図である。
第２図は、第１図の断面線２−２に沿って切った断面図である。
第３図は、第１図の断面線３−３に沿って切った断面図である。
第４図は、従来技術のプラスチックウエブの拡大部分斜視図である。
第５図は、本発明の好ましい実施例の織地状着用者接触面を有する有孔プラスチックウエブの着用者接触面から撮られた約２７倍の拡大写真である。
第６図は、本発明の織地状着用者接触面を有する有孔プラスチックウエブの製造方法を示す概略図である。
第７図は本発明の有孔プラスチックウエブの製造に使用する成形構造の部分拡大図である。
発明の詳細な説明
用語の「吸収材製品」は、身体の排泄物を吸収し、収容する製品を言う。さらに詳細には、用語の「吸収材製品」は、身体から排泄された排泄物を吸収し収容するために着用者の身体に対してその近傍に配置される製品を言う。用語の「吸収材製品」は、おむつ、失禁用製品、生理用ナプキン、パンティライナ及び身体の排泄物を吸収するために使用される他の製品を含む。用語の「使い捨て」は、洗濯されるか、または復元されるか、または吸収材製品として再使用することを意図していない吸収材製品を説明するために使用され、すなわち、１回使用した後に廃棄されるか、またはリサイクルされるか、肥料にされるか、または環境的に矛盾のない方法で廃棄される。
用語の「おむつ」は、着用者の下胴の周りに着用される幼児及び失禁者によって着用される下着を言う。ここに説明するトップシートを備えた適当なおむつは、１９６７年１月３１日にダンカン等に発行された米国特許第Ｒｅ．２６，１５２号、１９７５年１月１４日にベルに発行された米国特許第３，８６０，００３号、１９８６年９月９日に発行されたワイズマン等に発行された米国特許第４，６１０，６７８号、１９８７年６月１６日にワイズマン等に発行された米国特許第４，６７３，４０２号、１９８７年９月２２日にローソン等に発行された米国特許第号４，６９５，２７８号、１９８７年１１月３日にブエル等に発行された米国特許第４，７０４，１１５号、１９８９年５月３０日にアレマニー等に発行された米国特許第４，８３４，７３５号、１９８９年１２月１９日にアングスタッドに発行された米国特許第４，８８８，２３１号及び１９９０年３月２０日にアジズ等に発行された米国特許第４，９０９，８０３号に示されている。
用語の「失禁用製品」は、大人または他の失禁者によって着用されるかどうかとは無関係にパッド（ベルト等のいくつかのタイプの支持装置によって所定の位置に保持されたパッド）、下着、吸収材製品のインサート、吸収材製品の容量ブースタ、ブリーフ、ベッドパッド等を言う。ここに説明したトップシートを備えた適当な失禁者用製品は、１９８１年３月３日にストリックランド等に発行された米国特許第４，２５３，４６１号、ブエル等に発行されている米国特許第４，５９７，７６０号及４，５９７，７６１号、アール等に発行された上述した米国特許第４，７０４，１１５号；米国特許第４，９０９，８０２号、及び１９９０年１０月２３日にギブソン等に発行された米国特許第４，９６４，８６０号に説明されている。
用語の「生理用ナプキン」は、身体からの排泄された種々の排泄物（例えば、血液、おりもの及び尿）を吸収し収容する女性の外陰部領域に着用される製品を言う。ここに説明したトップシートを備えた適当な生理用ナプキンは、１９８１年８月２５日にマクネールに発行された米国特許第４，２８５，３４３号、１９８６年５月２０日及び１９８７年８月１８日にバンチルバーグに発行された米国特許第４，５８９，８７６号及び米国特許第４，６８７，４７８号、１９９０年４月１７日及び１９９１年４月１６日にオズボーンに発行された米国特許第４，９１７，６９７号及び５，００７，９０６号、１９９０年８月２１日及び１９９１年４月２３日にそれぞれオズボーンに発行された米国特許第４，９５０，２６４号及び５，００９，６３５号に示されている。
用語の「パンティライナ」は、生理期間内に婦人によって着用される生理用ナプキンより小さい吸収材製品を言う。ここに説明するトップシートを備えた適当なパンティライナは、１９８８年の４月１９日にオズボーンに発行された米国特許第４，７３８，６７６号に示されている。
第１図は、着用者に配置される前の吸収材製品１０を示す。本発明は、図面に示された吸収材製品の特定のタイプまたは形状には制限されないことを理解すべきである。このような吸収材製品１０は、第２図及び第３図に示すように、基本的にはトップシート１０と、バックシート１４と、吸収コア１６とを有するおむつである。
吸収材製品１０は、２つの面、すなわち、身体接触面（身体面）１０ａと下着面１０ｂとを有する。吸収材製品１０を着用したとき、吸収材製品１０の身体面１０ａは着用者の身体に隣接するように着用される。吸収材製品１０の下着面１０ｂは着用者の下着または衣服に隣接するように配置される。
吸収材製品１０は、２つの中央線、すなわち、長手方向の中央線１及び横断方向の中央線ｔとを有する。ここに使用する「長手方向」とは、吸収材製品１０を着用したときに直立した着用者を右半分と左半分に分割する垂直平面に整合する吸収材製品の平面内にあるライン、軸線または方向を言う。ここに使用する用語の「横断方向」とは、互換的に使用され、長手方向に直角な吸収材製品１０の平面内にあるライン、軸線または方向を言う。第１図は、２つの間隔を置いた長手方向側縁１８，１８と２つの間隔を置いた横断方向端縁（または端部）２０，２０を有し、これらが吸収材製品１０の周縁２２を形成する。
トップシート１２は、柔軟で柔らかい感じの着用者の皮膚を刺激しないものを言う。さらに、トップシート１２は、厚さ方向に液体を容易に透過できる液体透過性である。トップシート１２は、身体に面する１２ａと、下着に面する面１２ｂと、２つの長手方向側縁１２ｃ，１２ｃと、２つの端縁１２ｄ，１２ｄとを有する。おむつ１０の他の部材に同様な参照符号が使用される。すなわち、着用者の身体に面する側は、部材の数字と文字ａによって示され、着用者の下着に面する側は、部材の数字と参照符号ｂによって、側縁及び端縁は、部材の数字と参照符号ｃによって示される。
第４図は、使い捨て吸収材製品のトップシートとして使用するのに適していることが分かっている従来技術の巨視的に拡張された繊維状の有孔プラスチックフィルム２６の部分拡大斜視図である。従来技術のプラスチックフィルム２６は、１９８２年８月３日にラデル等に発行された米国特許第４，３４２，３１４号の内容により参照によりここに組み込まれている。プラスチックフィルム２６は、多数の開口部３１を有する。開口部３１は、ウエブの第１の面４０において互いに結合されている複数の相互結合繊維状部材３２，３３，３４，３５，３６によって形成されている。各繊維状部材は、平面４２に配置されたベース部分４１を有する。各ベース部分４１は、その縁部に取り付けられた側壁部分４３を有する。側壁部分４３は、ウエブの第２面の方向に伸びている。繊維状部材の相互に交差する側壁部分は、ウエブの第１の面及び第２の面のほぼ中間で互いに相互に結合され、第２に面の平面で互いに同時に終結し、ウエブの第２の面４５に開口部３９を形成している。相互に結合された側壁によって形成された毛管４９は、隣接する毛管の間に液体を搬送することなくウエブの第１の面からウアエブの第２の面に直接に自由に液体を搬送する。
有孔プラスチックフィルム２６は、液体透過性、好ましくは、熱可塑性材料で製造される。有孔プラスチックフィルム２６の製造に使用される熱可塑性材料は、ポリエチレン、ポリプロピレン、ポリビニルクロライド、スターチベース樹脂、ポリビニルアルコール、ポリウレタン、ポリカプロラクトンセルロースエステル類及びその混合物から成るグループから選択される。
巨視的に拡張された有孔プラスチックの他の例は、１９７５年１２月３０日にトンプソンに発行された米国特許第３，９３９，１３５号、１９８４年７月３１日にアール等に発行された米国特許第４，３２４，４２６号に示されている。
第５図は、本発明による織地状着用者接触面を有する巨視的に拡張された有孔プラスチックウエブ１００の写真である。ウエブ１００は、おむつまたは生理用ナプキンのような吸収材製品において第１図に示すようなトップシート１２として使用するのに適している。巨視的に拡張された有孔プラスチックウエブ１１２は、ラデル等に発行された米国特許第４，３４２，３１４号の内容によるものである。ウエブ１００は、複数の開口部１３１を有する。開口部１３１は、ウエブの第１の面に相互結合される繊維状部材１３２，１３３，１３４，１３５によって形成される。各繊維状部材は、最上端または着用者接触平面に配置されたベース部分を有する。各ベース部分はその縁部に取付られた側壁部分を有する。側壁部分は、ウエブの第２の面、すなわち吸収コア接触面の方向に伸びている。繊維状部材の相互に交差する側壁部分は、ウエブの第１の面と第２の面の中間で相互結合され、第２の面の平面で終結してウエブの第２の面に開口部を形成する。相互結合された側壁部分によって形成される毛管１４０は、隣接する毛管の間の間で液体を搬送することなく、ウエブの第２の面、すなわち吸収コア接触面に直接液体を搬送する。
ウエブ１００は、ウエブの着用者接触面におよびウエブの側壁部分に沿って埋められた粒状の材料１０２を有する。好ましい実施例において、粒状の材料は、タルクである。他の適当な粒状の材料はクレイである。
好ましくは、粒状の材料の寸法は、ウエブの面に入射する光がスペクトル的に反射しないで複数の方向に拡散し、光沢のない面を提供するような寸法である。
ウエブ１００は、従来技術のプラスチックフィルムに比較して、なめらかでなく、プラスチック状でない、柔らかい着用者接触面を有する。有孔プラスチックフィルムの着用者接触面に粒状の材料１０２を追加することによって使用中に吸収材製品のトップシートが着用者の皮膚に接触する織地面を提供する。粒状材料を有孔性プラスチックフィルムの着用者接触面に追加することによって、あるユーザが皮膚に接触するように配置することに対して抵抗を感じるフィルムに関連したプラスチック状の感触を低減することができる。
特に好ましい実施例において、粒状の材料は、使用中に着用者と最初に接触するときに存在する。しかしながら、粒状材料は液体（尿、おりもの等）の流れによって流される。従って、ウエブ１００は、柔らかい、布のような印象を呈しながら、使用後には従来技術の巨視的に拡張された有孔プラスチックウエブのきれいで乾燥した利点を提供する。粒状材料は、液体の導入によって洗い流されないようにプラスチックウエブに固定することができる。
本発明のウエブ１００を準備する適当な方法は、第６図に示されている。第６図に示す実施例において、溶融樹脂のウエブ２００は、従来の押出し機２０１から成形ドラム２０５の表面に押し出される。成形ドラム２０５の周りを成形構造２１０が回転する。成形ドラム２０５は、内側に配置された真空室２２０を有する。真空室２２０は、移動する成形構造２１０に対して静止していることが好ましい。溶融樹脂のウエブ２００が真空室２２０を通過するとき、空気圧が溶融樹脂のウエブ２００に加えられ、溶融樹脂のウエブ２００を成形構造２１０に押圧する。成形構造２１０の巨視的な断面は、第７図の非常に拡大した斜視図で見ることができる。第７図に示したものと同様な適当な管状体を形成する方法は、１９８５年にラデル等に発行された米国特許第４，５０８，２５６号及び１９８５年４月９日にミュレン等に発行された米国特許第４，５０９，９０８号に示されている。
溶融樹脂のウエブ２００は、成形構造２１０の巨視的な断面に適合するように成形構造２１０に押圧されるので、巨視的に拡張された有孔ウエブが、第４図に示すウエブと同様につくられる。成形されたウエブは、第１の面と第２の面とを有する。成形されたウエブは、第１の面から第２の面に伸びている複数の毛管を有する。毛管は、第１の面と第２の面の中間で相互結合すると共にウエブの第２の面で終わる複数の側壁部分によって形成される。
溶融樹脂のウエブ２００が真空室２２０によって成形された後、粒状材料２０６がアプリケータ２０５から半溶融樹脂のウエブ２００に適用される。粒状材料、好ましくは、タルクが、半溶融樹脂に接着され、第５図に示すものと同じウエブを製造する。
粒状材料が有孔プラスチックウエブに固定された後、そこ結果生じる織地状着用者接触面２０８を有する巨視的に拡張された有孔プラスチックウエブは、ニップロール２２５によって成形ドラム２１０から取り出される。取り出された織地状着用者接触面２０８を有するウエブ１００は、一時的に収容するために再巻き付けステーションに送られるか、吸収材製品のトップシートとしてそのまま使用される。
ウエブ１００を準備する他の適当な方法は、ウエブが真空室２２０を通過する前に溶融樹脂の押出しウエブに粒状材料を適用することである。
ウエブ１００を準備するさらに他の適当な方法は、成形ドラム２０５からウエブを取り出す前に予め成形された巨視的に拡張された有孔プラスチックを半溶融状態に再加熱し、粒状材料をウエブに固定することである。
吸収コア１６は、トップシート１２とバックシート１４との間に配置されている。吸収コア１６は、液体（例えばおりもの及び／または尿）を吸収するかまたは保持することができる吸収手段である。第１図乃至第３図に示すように、吸収コア１６は、身体面と、下着面と、側縁と、端縁とを有する。吸収コア１６は、種々の寸法及び形状（例えば、矩形、卵形、砂時計形、犬の骨の形状、非対称形等）に、エアフェルトと称される細かくされた木のパルプのような吸収材製品でよく使用される広範な液体吸収材性材料から製造することができる。他の適当な材料の例は、クリープセルロースワッデイング、架橋結合セルロース繊維、吸収材フォーム、吸収材スポンジ、合成ステープル繊維、ポリマー繊維、ヒドロゲル形成ポリマーゲル材料、ピートモス、前述した透過性材料の組み合わせまたは他の材料との組み合わせを含む。吸収コアの形状及び構成は変化する。例えば、吸収コアは、中心が厚い形状の厚さ領域、親水性勾配、超吸収性勾配、または低い密度及び低い平均基礎重量獲得領域を有するか、または１つまたはそれ以上の層または構造を有する。しかしながら、吸収性コアの全体吸収性能は、所望の負荷と吸収材製品の用途と矛盾しないものでなければならない。さらに吸収材コアの寸法及び吸収性能は、失禁パッド、パンティライナ、通常の生理用ナプキンまたはオーバーナイト型生理用ナプキンのような種々の用途に適応するように変化する。
適当な架橋結合セルロース繊維は１９８９年１２月１９日にクック等に発行された米国特許第４，８８８，０９３号、１９８９年４月１８日にディーン等に発行された米国特許第４，８２２，５４３号、１９８９年１２月２６日にショゲン等に発行された米国特許第４，８８９，５９５号、１９８９年１２月２６日にショゲン等に発行された米国特許第４，８８９，５９６号、１９９０年２月６日にモーレ等に発行された米国特許第４，８９８，６４２号、１９９０年７月１９日にラッシュ等に発行された米国特許第４，９３５，０２２号に説明されている。
吸収材製品の特定のタイプの吸収コア１６の特徴は、ここに参照例として組み込んだ特許及び書類に、またはそれらの書類に参照例として組み込まれた特許及び他の書類に記載されている。他の適当な吸収コアの構成は、米国特許第４，９８８，３４４号及び米国特許第４，９８８，３４５号及びヂュンケ等の名称で１９８６年１０月２２日に発行されたヨーロッパ特許公開第０１９８６８３号に示されている。また吸収材製品は、参照によってここに組み込まれた特許に説明されているような追加的な層または他の部材を含む。例えば、吸収材製品１０は、トップシート１２と吸収コア１６との間に配置された架橋結合セルロース繊維の獲得層すなわちパッチを有する。
バックシート１４及びトップシート１２は、吸収コア１６の下着面及び身体面に隣接して配置されており、この技術分野でよく知られているような取付手段（図示せず）によってそれらに及び互いに結合されている。例えば、バックシート１４及び／またはトップシート１２は、接着剤の一様な連続層、接着剤のパターン層または分離したラインの配列、螺旋、または接着剤の点、溶融接着剤によって吸収コア１６に固定される。十分であると思われる接着剤は、商品名ＨＬ−１２５８でミネソタ州セントポールのＨＢフューラ社によって製造されている。取付装置は、１９８６年３月４日にミネトラ等に発行された米国特許第４，５７３，９８６号に示されている接着剤のフィラメントの開放パターンネットワークからなる。フィラメントの開放パターンネットワークの例示的な取付装置は１９７５年１０月７日にスプラーゲｊｒに発行された米国特許第３，９１１，１７３号、１９７８年１１月２２日にジッカー等に発行された米国特許第４，７８５，９９６号、１９８９年６月２７日にウエレニッツに発行された米国特許第４，８４２，６６６号に示されているような螺旋パターンに巻かれた接着剤フィラメントを有する。別の例としては、取付装置は、熱結合、圧力結合、超音波結合、動的機械結合または他の適当な取付装置またはこの技術分野で知られているこれらの取付装置の組み合わせである。
バックシート１４は、液体不透過性であり、好ましくは、薄いプラスチックフィルムから製造されるが、他の可撓性液体不透過性材料を使用することができる。バックシート１４は、吸収コア１６に含まれる液体が吸収材製品１０に接触する製品を濡らすことを防止する。約０，００１乃至約０，００２インチ（０，００２５乃至０，００５１ｃｍ）の暑さのポリエチレンフィルムをバックシート１４に使用した場合に満足のいく結果が得られる。ここに使用するような用語の「可撓性」とは、柔軟で人体の形状及び輪郭に容易に適合する材料を言う。
バックシート１４は吸収コア１６の下着面１６ｂに重ねられ、吸収コア１６の縁部を越えて伸びている。トップシート１２は吸収コア１６の身体面１６ａ上に重なり、吸収コア１６の縁部を越えて伸びている。従って、吸収コア１６は、トップシート１２とバックシート１４との間に配置されている。トップシート１２及びバックシート１４はそれらの周縁の周りで互いに結合されている。トップシート１２及びバックシート１４は接着剤、クリンピング、熱密封または超音波結合の使用によって適当な方法で結合することができる。
本発明の特に好ましい多数の実施例を図示し説明したが、本発明の精神及び範囲から逸脱せずに種々の変形及び変更が行なうことができる。本発明の請求の範囲はこれらの変形及び変更をカバーするものである。
【図１】
0004036890.tif 000002
【図２】
0004036890.tif 000003
【図３】
0004036890.tif 000004
【図４】
0004036890.tif 000005
【図５】
0004036890.tif 000006
【図６】
0004036890.tif 000007
【図７】
0004036890.tif 000008